(57)【特許請求の範囲】
【請求項１】
分電盤選定用サブシステムと、負荷名称入力用サブシステムとを備えた分電盤選定システムであって、
前記分電盤選定用サブシステムは、ユーザが分電盤の希望仕様データを入力する入力手段と、分電盤の型番毎に内部機器データや配置に関する情報を収納したデータベースと、分電盤選定に伴う演算処理を行なう演算手段と、演算処理結果を記憶する記憶手段と、演算処理結果をユーザに表示する出力手段とを備え、
前記演算手段は、ユーザが入力した希望仕様データと一致する型番を選択する型番選択手段と、この型番選択手段により選択された型番に対応する内部機器データを展開して表示する内部機器表示手段と、展開表示された内部機器の対応位置に負荷名称を入力・表示させる内部機器展開手段とを含み、
前記記憶手段は入力された負荷名称を記憶する負荷名称データ記憶部を含むものであり、
前記負荷名称入力用サブシステムは、ユーザが内部機器の負荷名称を入力する負荷名称入力手段と、負荷名称の入力に伴う演算処理を行なう負荷名称演算手段と、演算結果を記憶する負荷名称記憶手段と、演算結果をユーザに表示する負荷名称出力手段とを備え、
前記負荷名称演算手段は、内部機器の回路数を規定する回路規定部と、回路規定部の入力内容に応じてユーザに負荷名称入力画面を表示する負荷名称展開手段を含み、
前記負荷名称記憶手段は入力された負荷名称を記憶する負荷名称データ記憶部を含むものであり、
かつこれらの分電盤選定用サブシステムと負荷名称入力用サブシステムは、相手側の負荷名称データ記憶部に記憶された負荷名称データを呼び出すことができる負荷名称呼出手段を備えたことを特徴とする分電盤選定システム。
【請求項２】
前記負荷名称入力用サブシステムは、負荷名称を内部機器及び負荷名称を規定する基本入力データと、負荷名称に拡張機能を規定する拡張機能データとに分離して分電盤選定用サブシステムの負荷名称データ記憶部に記憶させ、分電盤選定用サブシステムの負荷名称呼出手段により負荷名称データを呼び出す際に、基本入力データのみを呼び出して負荷名称出力手段に表示させることを特徴とする請求項１に記載の分電盤選定システム。
【請求項３】
分電盤選定用サブシステムで入力された負荷名称データ及び負荷名称入力用サブシステムで入力された負荷名称データにはそれぞれ作成者データを付随させておき、相手側サブシステムに収納された負荷名称データを呼び出すとき、作成者データが一致した場合にのみ呼出し可能としたことを特徴とする請求項１または２に記載の分電盤選定システム。
【発明の詳細な説明】
【技術分野】
【０００１】
本発明は、分電盤選定用サブシステムと負荷名称入力用サブシステムとを備えた分電盤選定システムに関するものである。
【背景技術】
【０００２】
分電盤は筐体の内部に主幹ブレーカ、分岐ブレーカ等の様々な内部機器を配置して構成されるものであり、接続される負荷の数や種類及びその容量等に応じて、筐体のサイズや内部機器の配置は大きく異なる。メーカは多数の標準品を用意しており、ユーザからの希望仕様に応じて専門技術者が最適な分電盤を選定していた。しかし近年、ユーザの端末とメーカのサーバを通信回線で結び、ユーザが画面上で希望する分電盤の選定やオプション機器の追加を行なうことができる分電盤選定システムが普及しつつある。
【０００３】
その一例が特許文献１に記載されている。このシステムにおいては、ユーザが入力手段からの操作を行なうことによって、サーバのデータベースに記憶された標準品情報中からユーザの希望に一致または類似する分電盤を読み出し、その標準品情報をユーザの画面に盤内イメージ画像として表示することができる。また表示された盤内イメージ画像をユーザが操作して内部機器を変更することができる。
【０００４】
特許文献２に示すように、分電盤には内部機器に対応する負荷名称ラベルが取付けられている。これは内部機器の用途、機種、接続される負荷名称等を表示するものであり、分電盤の選定と同時に負荷名称ラベルの印刷も手配できることが望まれる。しかし従来の分電盤選定システムでは、負荷名称と用途しか入力することができなかった。このため、負荷名称ラベルに負荷名称別の色、記号、段落等の拡張機能を設定したい場合には、別の負荷名称入力システムを用いて負荷名称ラベルを作成しており、その入力に余分な手数を要し、また入力ミスの可能性もあった。
【先行技術文献】
【特許文献】
【０００５】
【特許文献１】特許第３７７７８６７号公報
【特許文献２】特許第５５５７３３１号公報
【発明の概要】
【発明が解決しようとする課題】
【０００６】
従って本発明の目的は上記した従来の問題点を解決し、分電盤の選定と同時に負荷名称ラベルの拡張機能の設定も行なうことができる分電盤選定システムを提供することである。
【課題を解決するための手段】
【０００７】
上記の課題を解決するためになされた本発明は、分電盤選定用サブシステムと、負荷名称入力用サブシステムとを備えた分電盤選定システムであって、
前記分電盤選定用サブシステムは、ユーザが分電盤の希望仕様データを入力する入力手段と、分電盤の型番毎に内部機器データや配置に関する情報を収納したデータベースと、分電盤選定に伴う演算処理を行なう演算手段と、演算処理結果を記憶する記憶手段と、演算処理結果をユーザに表示する出力手段とを備え、
前記演算手段は、ユーザが入力した希望仕様データと一致する型番を選択する型番選択手段と、この型番選択手段により選択された型番に対応する内部機器データを展開して表示する内部機器表示手段と、展開表示された内部機器の対応位置に負荷名称を入力・表示させる内部機器展開手段とを含み、
前記記憶手段は入力された負荷名称を記憶する負荷名称データ記憶部を含むものであり、
前記負荷名称入力用サブシステムは、ユーザが内部機器の負荷名称を入力する負荷名称入力手段と、負荷名称の入力に伴う演算処理を行なう負荷名称演算手段と、演算結果を記憶する負荷名称記憶手段と、演算結果をユーザに表示する負荷名称出力手段とを備え、
前記負荷名称演算手段は、内部機器の回路数を規定する回路規定部と、回路規定部の入力内容に応じてユーザに負荷名称入力画面を表示する負荷名称展開手段を含み、
前記負荷名称記憶手段は入力された負荷名称を記憶する負荷名称データ記憶部を含むものであり、
かつこれらの分電盤選定用サブシステムと負荷名称入力用サブシステムは、相手側の負荷名称データ記憶部に記憶された負荷名称データを呼び出すことができる負荷名称呼出手段を備えたことを特徴とするものである。
【０００８】
請求項２の発明は請求項１の発明において、前記負荷名称入力用サブシステムは、負荷名称を内部機器及び負荷名称を規定する基本入力データと、負荷名称に拡張機能を規定する拡張機能データとに分離して分電盤選定用サブシステムの負荷名称データ記憶部に記憶させ、分電盤選定用サブシステムの負荷名称呼出手段により負荷名称データを呼び出す際に、基本入力データのみを呼び出して負荷名称出力手段に表示させることを特徴とするものである。
【０００９】
また請求項３の発明は請求項１または２の発明において、分電盤選定用サブシステムで入力された負荷名称データ及び負荷名称入力用サブシステムで入力された負荷名称データにはそれぞれ作成者データを付随させておき、相手側サブシステムに収納された負荷名称データを呼び出すとき、作成者データが一致した場合にのみ呼出し可能としたことを特徴とするものである。
【発明の効果】
【００１０】
請求項１の発明によれば、分電盤選定用サブシステム及び負荷名称入力用サブシステムで作成された負荷名称データをそれぞれのサブシステムの負荷名称呼出手段により呼び出して相互に利用することができるので、負荷名称の入力にかかる作業を簡略化することができる。
【００１１】
請求項２の発明によれば、負荷名称入力用サブシステムは、負荷名称を基本入力データと拡張機能データとに分離して分電盤選定用サブシステムの負荷名称データ記憶部に記憶させ、分電盤選定用サブシステムの負荷名称呼出手段により負荷名称データを呼び出す際に、基本入力データのみを呼び出す。分電盤選定用サブシステムでは基本入力データのみを利用するだけであるから、システムの複雑化を避けることができる。
【００１２】
請求項３の発明によれば、同一の作成者だけが負荷名称データを利用できるため、安全性を確保することができる。
【図面の簡単な説明】
【００１３】
【図１】本発明の分電盤選定システムの全体構成を示すブロック図である。
【図２】入力画面を示す図である。
【図３】データベースの内容を示す説明図である。
【図４】内部機器の展開画面を示す図である。
【図５】図４の展開画面に負荷名称を入力した状態を示す図である。
【図６】内部機器の変更を行った状態を示す図である。
【図７】負荷名称のプレビュー画面を示す図である。
【図８】図面・仕様書の確認画面を示す図である。
【図９】負荷名称入力画面を示す図である。
【図１０】負荷名称入力画面にコンセントを追加する手順を示す図である。
【図１１】負荷名称入力画面にコンセントを追加する手順を示す図である。
【図１２】負荷名称データの作成の説明図である。
【図１３】負荷名称データ呼び出しの説明図である。
【図１４】負荷名称呼出手段による記憶手段へのアクセスを示す説明図である。
【図１５】負荷名称呼出手段による記憶手段へのアクセスを示す説明図である。
【図１６】分電盤選定用サブシステムの動作フローの説明図である。
【図１７】負荷名称入力用サブシステムの動作フローの説明図である。
【発明を実施するための形態】
【００１４】
（全体の構成）
図１に示すように、本発明の分電盤選定システムは、分電盤選定用サブシステム１と負荷名称入力用サブシステム２とからなるものである。以下に詳述するように、分電盤選定用サブシステム１はユーザが分電盤の選定を行なうためのシステムである。負荷名称入力用サブシステム２は、負荷名称の入力等の基本機能と負荷名称ラベルの色、記号、段落設定等の拡張機能を持つ負荷名称ラベル作成のためのシステムである。
【００１５】
（分電盤選定用サブシステム）
分電盤選定用サブシステム１は、ユーザ側端末３とサーバ４とから構成される。これらは通信回線を介して、あるいは直接接続されている。ユーザ側端末３は複数台とすることもできる。通常、サーバ４はメーカ側に設置されるが、その設置場所は任意であることはいうまでもない。
【００１６】
ユーザ側端末３は、分電盤の選定操作を行なうための入力手段５と、サーバ４から送信されてきた情報を出力することができる出力手段６を備えている。ユーザは入力手段５から分電盤の希望仕様データを入力する。その入力画面を図２に示す。図示のように希望仕様データは分電盤の型番、主幹ブレーカの容量や種類（漏電、サーキットブレーカ等を選択）、分岐ブレーカの総数（実装数と予備スペース）、・オプション（リミッタスペース、付属機器取付・取付スペース）等の基本機能仕様データ５０ａや、太陽光用・ＩＨ用・ガス用などの拡張機能を付与された内部機器を選択する拡張機能仕様データ６０ａを含むものである。入力手段５として、このような基本機能仕様データ５０ａを入力する基本機能仕様入力手段５０と、拡張機能仕様データ６０ａを入力する拡張機能仕様入力手段６０を備えている。なお、型番が分かる場合には直接入力する型番入力手段７０により入力すればよく、型番が分からない場合には上記の基本機能仕様データ５０ａ、拡張機能仕様データ６０ａの希望項目を入力すればよい。
【００１７】
サーバ４には、分電盤選定に伴う各種の演算処理を行なう演算手段７と、分電盤の型番毎に内部機器データ１７ａや配置に関する情報を収納したデータベース８と、演算処理結果を記憶する記憶手段９とが設けられている。データベース８は図３に示すとおり、分電盤の型番を、筐体内部に配置される内部機器と結び付けて収納している。内部機器とは、主幹ブレーカ、一次送りブレーカ、分岐ブレーカ、二次送りブレーカなどであり、それぞれの機種や数量が含まれている。
【００１８】
演算手段７は、型番選択手段１０と、内部機器表示手段１１と、展開表示された内部機器の対応位置に負荷名称を入力・表示させる内部機器展開手段１２とを備える。型番選択手段１０は、ユーザが入力手段５から入力した希望仕様データに基づいて、データベース８から最適な型番を選択する機能を有する。詳しくは、型番そのものが入力されている場合は該当する型番をデータベース８から選択し、型番入力手段７０により型番の種類と希望仕様データが入力されている場合には、該当する型番の種類から希望仕様データに合致するものを選定する。また、希望仕様データが入力され型番入力手段７０に型番が入力していないときは、データベース８内の基本形態として規定した種類の型番から希望仕様データに合致するものを選定するものである。
【００１９】
内部機器展開手段１２は、型番選択手段１０により選択された型番に対応する内部機器データ１７ａを展開して図４のように表示する。図４に示されるように、この画面には内部機器表示部１３と、内部機器である分岐ブレーカなどに接続される負荷の用途・目的等を示す負荷名称が入力される負荷名称入力部１４が並べて表示されている。図５に示すように、ユーザはこの負荷名称入力部１４に負荷名称を直接入力するか、プルダウンリストから選択して入力し、入力した内容を内部機器負荷名称データ１６ａとして作成する。なお図５には内部機器の盤内配置図１５が同一画面上に番号表示されており、配置される内部機器の配置を確認しながら作業可能としている。図６に示すように、所定の内部機器を変更したり、ユーザは画面上で内部機器の配置を移動させたりすることもできる。ここで、内部機器表示部１３に入力された内部機器と、負荷名称入力部１４の内部機器に対応する負荷名称を関連付けさせ、内部機器の配置位置を移動させる場合には、入力された負荷名称も追従して表示位置を移動させる。
【００２０】
その後、負荷名称プレビュー手段８０を操作することにより、負荷名称入力部１４に入力された内部機器負荷名称データ１６ａを実際の用紙に印刷した場合のプレビュー表示画面８０ａの表示を行う。その例を図７に示す。
【００２１】
負荷名称プレビュー手段８０により表示させた負荷名称ラベルの表示を確認しそれで問題がなければ、内部機器負荷名称データ１６ａを記憶手段９の負荷名称データファイル１６に収納し、また内部機器表示欄１３に入力されている内部機器データ１７ａも記憶手段９の内部機器データファイル１７に収納する。これらの内部機器負荷名称データ１６ａと内部機器データ１７ａは相互に関連付けさせておき、一方のデータが呼び出されたときには他方のデータも呼び出して表示できるようになっている。本実施形態の負荷名称データ１６ａとしては負荷名称の入力のデータとなる基本入力データの内容が収納されているものである。
【００２２】
このようにして最終的に内部機器が決定されたのち、サーバの演算手段７は図８に示すような確認画面をユーザ側端末３の出力手段６に表示し、これに基づいて図面、仕様書、見積書などを作成する。これらの内容もサーバ４の記憶手段９に収納しておく。
【００２３】
（負荷名称入力用サブシステム）
図１に示すように、負荷名称入力用サブシステム２もユーザ側端末２０とサーバ２１とから構成される。これらは通信回線を介して、あるいは直接接続されている。ユーザ側端末２０は複数台とすることもできる。説明を単純化するために、ユーザ側端末２０とサーバ２１はユーザ側端末３とサーバ４とは別のものとして説明するが、ユーザ側端末２０はユーザ側端末３と同一端末であってもよく、サーバ２１はサーバ４と同一サーバであってもよい。
【００２４】
ユーザ側端末２０は、負荷名称入力手段２２と負荷名称出力手段２３とを備えている。負荷名称入力手段２２はユーザが内部機器の負荷名称を入力するものであり、負荷名称出力手段２３は入力された負荷名称や演算結果をユーザに表示するものである。
【００２５】
サーバ２１は負荷名称の入力に伴う各種の演算処理を行なう負荷名称演算手段２４を備えている。この負荷名称演算手段２４は、内部機器の回路数を規定する回路規定部２５と、その回路規定部２５の入力内容に応じてユーザに負荷名称入力部２７の画面を表示する負荷名称展開手段２６を備えている。図９は負荷名称入力画面を示すもので、負荷名称入力部２７と配置出力部２８を同一画面上に並べて表示させ、これによって一つの画面上で入力内容と出力する負荷名称ラベルを容易に確認することができる。
【００２６】
なお図１０と図１１に、負荷名称入力部２７に負荷名称として「コンセント」を追加する手順を例示した。挿入したい番号等を指定して語句をプルダウンから選択し（挿入）ボタンを押して入力部に入力していく入力規定手段３２を用いる方法や、負荷名称入力部２７に入力したい箇所を選択し直接入力する方法どちらであっても良い。
【００２７】
図９の負荷名称入力画面はさらに、内部機器の取付位置を規定する配置規定部２９と、拡張規定部３０とを備えている。配置規定部２９には、内部機器が母線バーを挟んで両側に取付けられるのかあるいは片側に取付けられるのか、また母線バーの上下に配置されるのか左右に配置されるのかなどの基本的な配置を入力する。拡張規定部３０には、負荷名称ラベルに印刷される回路番号、回路記号、色（文字色、背景色）、文字の段落位置（右寄り・中央・左寄り）などの拡張情報を入力する。そのため、負荷名称入力部２７は負荷名称を入力する基本入力部２７ｂ、記号、番号、色、段落等の拡張機能を規定する拡張機能入力部２７ａから構成されている。負荷名称演算手段２４はさらに連動表示手段３３を備え、配置規定部２９と拡張規定部３０への入力内容によって、上記した負荷名称入力用サブシステム２７と配置出力部２８の表示を連動して変更する。
【００２８】
このような負荷名称入力用サブシステム２の負荷名称入力部２７や配置出力部２８に用いる入力表や配置図のパターンは、サーバ２１のデータベース３１に予め登録しておき、回路規定部２５、配置規定部２９、拡張規定部３０の条件が一致するパターンを呼び出して出力するようにしても良いし、その都度作成するようにしてもよい。
【００２９】
ユーザは出力された負荷名称ラベルの内容を確認したうえ、サーバ２１の負荷名称記憶手段３４に収納する。また同時に印刷を行なうこともできる。このように一つの画面上で印刷の判断処理を行なうことができる。
【００３０】
負荷名称記憶手段３４は、負荷名称データ３５を記憶するものであるが、図１に示すように負荷名称データは基本入力データ３６と拡張機能データ３７とに分離した状態で記憶されている。また、サーバ２１の負荷名称記憶手段３４とサーバ４の記憶手段９とは連携されており、演算手段７と負荷名称演算手段２４の負荷名称呼出手段４０，４１により、相手方のサブシステムからの呼び出しが可能である。
【００３１】
配置出力部２８は実際印刷される用紙を表示させておいても良いし、配置のみを表示させる表示画面を出力手段に出力させ、実際印刷される用紙（回路規定部２５・拡張規定部３０・配置規定部２９の内容を反映させた画面）を別画面で表示させて確認できるようにしても良い。
【００３２】
負荷名称入力部２７と配置出力部２８を併設するモードを使用するものであるが、実際印刷される用紙を画面に表示し指定した位置を選択しながら入力可能な負荷名称ラベル入力部を表示させ、入力したい場所を直接選択して入力するモードとを選択的に切替えする表示切替手段９０を有する。
【００３３】
その他、負荷名称入力部２７に語句を入力する際、よく使用する語句を予め負荷名称記憶手段３４に登録しておき、使用する際はボタン１つで挿入またはプルダウンを表示して選択できるテンプレート管理手段を有する。また、語句を規則なく収納しておくことや、種類（用途）ごとに各語句を収納しておくことも可能である。
【００３４】
（まとめ）
上記したように、本発明の分電盤選定システムは、分電盤の選定及び負荷名称の作成が可能な分電盤選定用サブシステム１と、負荷名称の作成のみ可能な負荷名称入力用サブシステム２とからなり、各々の演算手段７，２４は負荷名称呼出手段４０，４１を備えている。図１２のように負荷名称入力用サブシステム２で作成した負荷名称データ３５を分電盤選定用サブシステム１で呼び出す際には、図１３に示すように基本入力データ３６のみを呼び出し、分電盤選定用サブシステム１の出力手段に展開・表示可能としている。詳しくは、分電盤選定用サブシステム１の負荷名称呼出手段４０が負荷名称入力用サブシステム２の記憶手段３４にアクセスし、負荷名称データ３５の基本入力データ３６のみを呼び出し、分電盤選定用サブシステム１の出力手段６に表示させる。基本入力データ３６と拡張機能データ３７を一体としている場合には、分電盤選定用サブシステム１で利用することができないが、本発明では分離して収納するため相互に呼出し可能としているものである。
【００３５】
なお、分電盤選定用サブシステム１で作成した内部機器負荷名称データ１６ａを負荷名称入力用サブシステム２で利用する場合、内部機器負荷名称データ１６ａは基本入力データのみであるため、負荷名称入力システムでそのまま内部機器負荷名称データ１６ａ(基本入力データ)を呼び出して展開・表示させる。
【００３６】
（その他）
本発明では異なる２つのサブシステム１，２を利用するため、負荷名称呼出手段４０，４１で呼び出しすることが出来る負荷名称データへのアクセス制限を行うことができるアクセス規定手段４５を設定することが好ましい。アクセス規定手段４５として、例えば、記憶手段９、３４に収納させる負荷名称データ１６ａ，３５に作成者のID番号を規定することが好ましい。例えば、ＩＤ番号として作成者のＰＣアドレスやログインＩＤを付与させて収納させる。これにより、図１４に示すように、他のＩＤ番号で記憶手段９，３４にアクセスした場合には呼び出し出来ないようにしている。さらに、アクセス規定手段４５として、記憶手段９，３４に収納する際にＩＤ番号とともに図面番号等の入力情報を負荷名称データに関連付けさせて、図１５に示すように、ＩＤ番号及び図面番号等の入力情報が一致した場合のみアクセスできるように制限している。
【００３７】
このアクセス規定手段４５として、ＩＤ番号や図面番号のほか、負荷名称データの回路数が一致する場合のみ呼び出しすることが可能としても良い。アクセス規定手段４５としない場合、負荷名称データの回路数が異なる場合には、１から順番に貼り付けを行い、超過分に関しては削除させるものである。図１６と図１７に、各サブシステムの動作フローを示した。
【００３８】
上記した実施形態では、分電盤選定用サブシステム１と負荷名称入力用サブシステム２は各々別途のサーバで利用することを説明したが、同じサーバ上に配置し、記憶手段を統一させて利用するものであっても良い。また、演算手段等をサーバに搭載するように説明したが、演算用のプログラムをユーザ側に形成しておき、記憶手段やデータベースはサーバ上に有し、ユーザ側の演算部からサーバの記憶手段やデータベースにアクセスする形であっても良い。
【符号の説明】
【００３９】
１  分電盤選定用サブシステム
２  負荷名称入力用サブシステム
３  ユーザ側端末
４  サーバ
５  入力手段
６  出力手段
７  演算手段
８  データベース
９  記憶手段
１０  型番選択手段
１１  内部機器表示手段
１２  内部機器展開手段
１３  内部機器表示部
１４  負荷名称入力部
１５  盤内配置図
１６  負荷名称データファイル
１６ａ  内部機器負荷名称データ
１７  内部機器データファイル
１７ａ  内部機器データ
２０  ユーザ側端末
２１  サーバ
２２  負荷名称入力手段
２３  負荷名称出力手段
２４  負荷名称演算手段
２５  回路規定部
２６  負荷名称展開手段
２７  負荷名称入力部
２７ａ  拡張機能入力部
２７ｂ  基本入力部
２８  配置出力部
２９  配置規定部
３０  拡張規定部
３１  データベース
３２  入力規定手段
３４  負荷名称記憶手段
３５  負荷名称データ
３６  基本入力データ
３７  拡張機能データ
４０  負荷名称呼出手段
４１  負荷名称呼出手段
４５  アクセス規定手段
５０  基本機能仕様入力手段
５０ａ  基本機能仕様データ
６０  拡張機能仕様入力手段
６０ａ  拡張機能仕様データ
７０  型番入力手段
８０  負荷名称プレビュー手段
８０ａ  プレビュー表示画面
９０  表示切替手段
【図１】
0006429651.tif 000002
【図２】
0006429651.tif 000003
【図３】
0006429651.tif 000004
【図４】
0006429651.tif 000005
【図５】
0006429651.tif 000006
【図６】
0006429651.tif 000007
【図７】
0006429651.tif 000008
【図８】
0006429651.tif 000009
【図９】
0006429651.tif 000010
【図１０】
0006429651.tif 000011
【図１１】
0006429651.tif 000012
【図１２】
0006429651.tif 000013
【図１３】
0006429651.tif 000014
【図１４】
0006429651.tif 000015
【図１５】
0006429651.tif 000016
【図１６】
0006429651.tif 000017
【図１７】
0006429651.tif 000018